(57)【特許請求の範囲】
【請求項１】
遊技場の遊技島に固定される枠体と、前記枠体に着脱可能な遊技機本体とからなり、前記枠体を前記遊技島に固定したまま前記遊技機本体を新規なものに交換可能とした遊技機において、
前記枠体に備えられた前面枠と、
前記前面枠に形成された遊技窓と、
前記前面枠の後面から起立しかつ前記遊技窓を囲む囲壁と、
前記遊技機本体を構成しかつ前記囲壁の内側に嵌合される遊技盤と、
前記前面枠に螺合された螺子により前記前面枠に保持されて、その螺子を中心に回転し、前記遊技盤を前記囲壁内に嵌合可能とする係止解除姿勢と、前記遊技盤の縁部の後方に重ねられて前記囲壁内に前記遊技盤を抜け止めする係止姿勢とに変更可能な係止レバーと、
前記螺子の頭部と前記係止レバーとの間に介在された摺動手段とを備えたことを特徴とする遊技機。
【請求項２】
遊技場の遊技島に固定される枠体と、前記枠体に着脱可能な遊技機本体とからなり、前記枠体を前記遊技島に固定したまま前記遊技機本体を新規なものに交換可能とした遊技機において、
前記枠体に備えられた前面枠と、
前記前面枠に形成された遊技窓と、
前記前面枠の後面から起立しかつ前記遊技窓を囲む囲壁と、
前記遊技機本体を構成しかつ前記囲壁の内側に嵌合される遊技盤と、
前記前面枠に螺合された螺子により前記前面枠に保持されて、その螺子を中心に回転し、前記遊技盤を前記囲壁内に嵌合可能とする係止解除姿勢と、前記遊技盤の縁部の後方に重ねられて前記囲壁内に前記遊技盤を抜け止めする係止姿勢とに変更可能な係止レバーと、
前記螺子の頭部と前記係止レバーとの間に、前記係止レバーの回転による前記螺子の頭部にかかる摩擦を低減するための摺動手段を介在させたことを特徴とする遊技機。
【請求項３】
前記摺動手段は、前記螺子に貫通されたリング状摺動部材で構成され、前記リング状摺動部材は、前記係止レバーに宛われる側が先細り形状をなし、前記係止レバーのうち前記螺子が貫通した貫通孔の一端は、前記リング状摺動部材の先細り部分を受容する漏斗形状をなしたことを特徴とする請求項１又は２に記載の遊技機。
【請求項４】
前記前面枠から前記係止レバーに向けて円柱体を起立形成すると共に、前記係止レバーのうち前記螺子が貫通した貫通孔は、前記円柱体が内側に嵌合される大径部と、一端側に前記円柱体が突き合わされかつ他端側に前記摺動手段が当接される小径部とを備えたことを特徴とする請求項１乃至３の何れかに記載の遊技機。
【請求項５】
前記係止レバーは、ポリアセタール、フッ素樹脂、超高分子ポリエチレンの何れかであることを特徴とする請求項１乃至４の何れかに記載の遊技機。
【請求項６】
遊技機を構成する遊技機構成部品と、可動部材と、固定部材とを備え、前記可動部材が前記固定部材に保持されると共に前記可動部材により前記遊技機構成部品が前記固定部材に対して係脱されるように構成された遊技機において、
前記可動部材は、前記可動部材を貫通した螺子を前記固定部材に螺合することで、前記固定部材に対して前記螺子を中心に回転可能に軸止されており、
前記可動部材の回転位置を係止姿勢に変更することで前記遊技機構成部品が、前記固定部材と前記可動部材とによって形成される一方、前記可動部材の回転位置を前記係止解除姿勢に変更することで、前記遊技機構成部品が係止状態から解除されることによって離脱可能とされるように構成され、
前記螺子の頭部と前記可動部材との間に摺動手段を介在させたことを特徴とする遊技機。
【請求項７】
遊技機を構成する遊技機構成部品と、可動部材と、固定部材とを備え、前記可動部材が前記固定部材に保持されると共に前記可動部材により前記遊技機構成部品が前記固定部材に対して係脱されるように構成された遊技機において、
前記可動部材は、前記可動部材を貫通した螺子を前記固定部材に螺合することで、前記固定部材に対して前記螺子を中心に回転可能に軸止されており、
前記可動部材の回転位置を係止姿勢に変更することで前記遊技機構成部品が、前記固定部材と前記可動部材とによって形成される一方、前記可動部材の回転位置を前記係止解除姿勢に変更することで、前記遊技機構成部品が係止状態から解除されることによって離脱可能とされるように構成され、
前記螺子の頭部と前記可動部材との間に、前記可動部材の回転による前記螺子の頭部にかかる摩擦を低減するための摺動手段を介在させたことを特徴とする遊技機。
【請求項８】
前記摺動手段は、前記螺子に貫通されたリング状摺動部材で構成され、前記リング状摺動部材は、前記可動部材に宛われる側が先細り形状をなし、前記可動部材のうち前記螺子が貫通した貫通孔の一端は、前記リング状摺動部材の先細り部分を受容する漏斗形状をなしたことを特徴とする請求項６又は７に記載の遊技機。
【請求項９】
前記固定部材から前記可動部材に向けて円柱体を起立形成すると共に、前記可動部材のうち前記螺子が貫通した貫通孔は、前記円柱体が内側に嵌合される大径部と、一端側に前記円柱体が突き合わされかつ他端側に前記摺動手段が当接される小径部とを備えたことを特徴とする請求項６乃至７の何れかに記載の遊技機。
【請求項１０】
前記可動部材は、ポリアセタール、フッ素樹脂、超高分子ポリエチレンの何れかであることを特徴とする請求項６乃至９の何れかに記載の遊技機。
【請求項１１】
前記摺動手段は、樹脂製摺動部材で構成されたことを特徴とする請求項１乃至１０の何れかに記載の遊技機。
【請求項１２】
前記樹脂製摺動部材は、ポリアセタール、フッ素樹脂及び超高分子ポリエチレンの何れかであることを特徴とする請求項１１に記載の遊技機。
【請求項１３】
前記摺動部材は、低摩擦係数特性を有する樹脂であることを特徴とする請求項１乃至１２の何れかに記載の遊技機。
【請求項１４】
前記摺動手段は、金属製摺動部材で構成されたことを特徴とする請求項１乃至１０の何れかに記載の遊技機。
【請求項１５】
前記摺動手段は、前記螺子の頭部に施された摺動表面処理であることを特徴とする請求項１４に記載の遊技機。
【発明の詳細な説明】
【０００１】
【発明の属する技術分野】
本発明は、可動部材を貫通した螺子を固定部材に螺合し、その螺子を中心にして可動部材を回転可能に保持した遊技機に関する。
【０００２】
【従来の技術】
図１３には、遊技機に備えた回動部材の一例として係止レバー１が示されている。この係止レバー１には、螺子４が貫通しており、その螺子４を枠体２に螺合することで、係止レバー１が、パチンコ遊技機の枠体２に回転可能に保持されている。そして、枠体２にパチンコ遊技機の遊技盤３を宛って係止レバー１を回転させると、係止レバー１と枠体２との間に、遊技盤３の縁部が挟まれて、遊技盤３が枠体２に固定される。ところで、従来の遊技機では、螺子４の頭部と枠体２との間に、摺動を目的としない市販の金属製のワッシャ５を挟むか、或いは、螺子４の頭部を係止レバー１に直接当接させた構成になっていた。
【０００３】
【発明が解決しようとする課題】
しかしながら、従来の遊技機では、係止レバー１を何度か回転させるうちに、螺子４の頭部と前記ワッシャ５或いは係止レバー１との間の摩擦により、螺子４の螺合が緩む場合があった。
【０００４】
本発明は、上記事情に鑑みてなされたもので、可動部材を回転可能に保持する螺子を緩みにくくした遊技機の提供を目的とする。
【０００５】
【課題を解決するための手段】
上記目的を達成するためになされた請求項１の発明に係る遊技機は、遊技場の遊技島に固定される枠体と、枠体に着脱可能な遊技機本体とからなり、枠体を遊技島に固定したまま遊技機本体を新規なものに交換可能とした遊技機において、枠体に備えられた前面枠と、前面枠に形成された遊技窓と、前面枠の後面から起立しかつ遊技窓を囲む囲壁と、遊技機本体を構成しかつ囲壁の内側に嵌合される遊技盤と、前面枠に螺合された螺子により前面枠に保持されて、その螺子を中心に回転し、遊技盤を囲壁内に嵌合可能とする係止解除姿勢と、遊技盤の縁部の後方に重ねられて囲壁内に遊技盤を抜け止めする係止姿勢とに変更可能な係止レバーと、螺子の頭部と係止レバーとの間に介在された摺動手段とを備えたところに特徴を有する。
請求項２の発明に係る遊技機は、遊技場の遊技島に固定される枠体と、枠体に着脱可能な遊技機本体とからなり、枠体を遊技島に固定したまま遊技機本体を新規なものに交換可能とした遊技機において、枠体に備えられた前面枠と、前面枠に形成された遊技窓と、前面枠の後面から起立しかつ遊技窓を囲む囲壁と、遊技機本体を構成しかつ囲壁の内側に嵌合される遊技盤と、前面枠に螺合された螺子により前面枠に保持されて、その螺子を中心に回転し、遊技盤を囲壁内に嵌合可能とする係止解除姿勢と、遊技盤の縁部の後方に重ねられて囲壁内に遊技盤を抜け止めする係止姿勢とに変更可能な係止レバーと、螺子の頭部と係止レバーとの間に、係止レバーの回転による螺子の頭部にかかる摩擦を低減するための摺動手段を介在させたところに特徴を有する。
【０００６】
請求項３の発明は、請求項１又は２に記載の遊技機において、摺動手段は、螺子に貫通されたリング状摺動部材で構成され、リング状摺動部材は、係止レバーに宛われる側が先細り形状をなし、係止レバーのうち螺子が貫通した貫通孔の一端は、リング状摺動部材の先細り部分を受容する漏斗形状をなしたところに特徴を有する。
【０００７】
請求項４の発明は、請求項１乃至３の何れかに記載の遊技機において、前面枠から係止レバーに向けて円柱体を起立形成すると共に、係止レバーのうち螺子が貫通した貫通孔は、円柱体が内側に嵌合される大径部と、一端側に円柱体が突き合わされかつ他端側に摺動手段が当接される小径部とを備えたところに特徴を有する。
【０００８】
請求項５の発明は、請求項１乃至４の何れかに記載の遊技機において、係止レバーは、ポリアセタール、フッ素樹脂、超高分子ポリエチレンの何れかであるところに特徴を有する。
【０００９】
請求項６の発明に係る遊技機は、遊技機を構成する遊技機構成部品と、可動部材と、固定部材とを備え、可動部材が固定部材に保持されると共に可動部材により遊技機構成部品が固定部材に対して係脱されるように構成された遊技機において、可動部材は、可動部材を貫通した螺子を固定部材に螺合することで、固定部材に対して螺子を中心に回転可能に軸止されており、可動部材の回転位置を係止姿勢に変更することで遊技機構成部品が、固定部材と可動部材とによって形成される一方、可動部材の回転位置を係止解除姿勢に変更することで、遊技機構成部品が係止状態から解除されることによって離脱可能とされるように構成され、螺子の頭部と可動部材との間に摺動手段を介在させたところに特徴を有する。
請求項７の発明に係る遊技機は、遊技機を構成する遊技機構成部品と、可動部材と、固定部材とを備え、可動部材が固定部材に保持されると共に可動部材により遊技機構成部品が固定部材に対して係脱されるように構成された遊技機において、可動部材は、可動部材を貫通した螺子を固定部材に螺合することで、固定部材に対して螺子を中心に回転可能に軸止されており、可動部材の回転位置を係止姿勢に変更することで遊技機構成部品が、固定部材と可動部材とによって形成される一方、可動部材の回転位置を係止解除姿勢に変更することで、遊技機構成部品が係止状態から解除されることによって離脱可能とされるように構成され、螺子の頭部と可動部材との間に、可動部材の回転による螺子の頭部にかかる摩擦を低減するための摺動手段を介在させたところに特徴を有する。
【００１０】
請求項８の発明は、請求項６又は７に記載の遊技機において、摺動手段は、螺子に貫通されたリング状摺動部材で構成され、リング状摺動部材は、可動部材に宛われる側が先細り形状をなし、可動部材のうち螺子が貫通した貫通孔の一端は、リング状摺動部材の先細り部分を受容する漏斗形状をなしたところに特徴を有する。
【００１１】
請求項９の発明は、請求項６乃至８の何れかに記載の遊技機において、固定部材から可動部材に向けて円柱体を起立形成すると共に、可動部材のうち螺子が貫通した貫通孔は、円柱体が内側に嵌合される大径部と、一端側に円柱体が突き合わされかつ他端側に摺動手段が当接される小径部とを備えたところに特徴を有する。
【００１２】
請求項１０の発明は、請求項６乃至９の何れかに記載の遊技機において、可動部材は、ポリアセタール、フッ素樹脂、超高分子ポリエチレンの何れかであるところに特徴を有する。
【００１３】
請求項１１の発明は、請求項１乃至１０の何れかに記載の遊技機において、摺動手段は、樹脂製摺動部材で構成されたところに特徴を有する。
【００１４】
請求項１２の発明は、請求項１１に記載の遊技機において、樹脂製摺動部材は、ポリアセタール、フッ素樹脂及び超高分子ポリエチレンの何れかであるところに特徴を有する。
【００１５】
請求項１３の発明は、請求項１乃至１２の何れかに記載の遊技機において、摺動部材は、低摩擦係数特性を有する樹脂であるところに特徴を有する。
【００１６】
請求項１４の発明は、請求項１乃至１０の何れかに記載の遊技機において、摺動手段は、金属製摺動部材で構成されたところに特徴を有する。
請求項１５の発明は、請求項１４に記載の遊技機において、摺動手段は、螺子の頭部に施された摺動表面処理であるところに特徴を有する。
【００１７】
【発明の作用及び効果】
＜請求項１及び２の発明＞
請求項１及び２の遊技機では、遊技場の遊技島に固定される枠体と、枠体に着脱可能な遊技機本体とからなり、枠体を遊技島に固定したまま遊技機本体を新規なものに交換するときには、係止レバーが螺子を中心に回転されて、遊技盤を囲壁内に嵌合可能とする係止解除姿勢と、遊技盤の縁部の後方に重ねられて囲壁内に遊技盤を抜け止めする係止姿勢とに変更される。ここで、本発明では、係止レバーを回転したときに、その係止レバーを回転可能に保持する螺子の頭部に摺動手段が摺接し、螺子の頭部にかかる摩擦を低減するので、従来のものより螺子を緩みにくくすることができる。
【００１８】
＜請求項３の発明＞
請求項３の遊技機では、摺動手段が、螺子に貫通されたリング状摺動部材であるので、螺子の頭部の全体が摺動手段に接触し、螺子の締め付け力の分散均一化を図ることができる。そして、螺子を締め付けると、リング状摺動部材の先細り部分が、係止レバーの貫通孔のうち漏斗部分に押し付けられて、その漏斗の中心に案内される。これにより、リング状摺動部材の貫通孔内で螺子が芯だしされ、貫通孔の内面が螺子に擦られることを規制することができる。
【００１９】
＜請求項４の発明＞
請求項４の発明によれば、前面枠から起立した円柱体が、係止レバーに形成された貫通孔の大径部に嵌合され、係止レバーが円柱体によって軸支されるので、螺子かかる負荷を低減することができる。
【００２０】
＜請求項５の発明＞
請求項５の遊技機のように、係止レバーは、ポリアセタール、フッ素樹脂、超高分子ポリエチレンの何れかであることが好ましい。
【００２１】
＜請求項６及び７の発明＞
請求項６及び７の遊技機では、遊技機構成部品を固定部材に対して係脱するときには、可動部材が螺子を中心に回転されて、可動部材が螺子を中心に回転されて、係止解除姿勢と係止姿勢とに変更される。ここで、本発明では、可動部材を回転したときに、その可動部材を回転可能に保持する螺子の頭部に摺動手段が摺接し、螺子の頭部にかかる摩擦を低減するので、従来のものより螺子を緩みにくくすることができる。
【００２２】
＜請求項８の発明＞
請求項８の遊技機では、摺動手段が、螺子に貫通されたリング状摺動部材であるので、螺子の頭部の全体が摺動手段に接触し、螺子の締め付け力の分散均一化を図ることができる。そして、螺子を締め付けると、リング状摺動部材の先細り部分が、可動部材の貫通孔のうち漏斗部分に押し付けられて、その漏斗の中心に案内される。これにより、リング状摺動部材の貫通孔内で螺子が芯だしされ、貫通孔の内面が螺子に擦られることを規制することができる。
＜請求項９の発明＞
請求項９の発明によれば、前面枠から起立した円柱体が、可動部材に形成された貫通孔の大径部に嵌合され、可動部材が円柱体によって軸支されるので、螺子かかる負荷を低減することができる。
＜請求項１０の発明＞
請求項１０の遊技機のように、可動部材は、ポリアセタール、フッ素樹脂、超高分子ポリエチレンの何れかであることが好ましい。
【００２３】
＜請求項１１〜１５の発明＞
摺動手段は、樹脂製摺動部材で構成してもよいし（請求項１１の発明）、金属製摺動部材で構成してもよい（請求項１４の発明）。また、摺動部材は低摩擦係数特性を有する樹脂であることが好ましい（請求項１３の発明）。さらに、樹脂製摺動部材は、ポリアセタール、フッ素樹脂、超高分子ポリエチレンの何れかであることが好ましい（請求項１２の発明）。特に、樹脂製摺動部材及び／又は可動部材は、ポリアセタールが、自己潤滑性に優れるので好ましい。また、摺動手段が、螺子の頭部に施された摺動表面処理であるから、部品を増やさずに、可動部材と螺子との摩擦を抑えることができる（請求項１５の発明）。
【００２４】
【発明の実施の形態】
以下、本発明を適用したパチンコ遊技機に係る一実施形態を、図１〜図１２に基づいて説明する。本実施形態のパチンコ遊技機は、一般のものと同様に、遊技場の遊技島に固定される枠体８０（図４参照）と、枠体８０から脱着可能な遊技機本体８１（図４参照）とに区分することができる。まずは、遊技機本体８１について説明すると以下の通りである。
【００２５】
遊技機本体８１は、図１に示した遊技盤１１に種々の部品を組み付けてなる遊技盤側アッシと、同図に示したメインセット７５に種々の部品を組み付けてなるメインセット側アッシの２つのアッシよりなる。遊技盤側アッシを構成する各部品に関して説明すると、遊技盤１１（本発明の「遊技機を構成する部品」に相当する）は、木製の概矩形板材で構成されている。遊技盤１１の前面には、図２に示すように、ガイドレール１２が取り付けられ、ガイドレール１２の内側が、遊技領域Ｒ１となっている。遊技領域Ｒ１のほぼ中央部には、液晶表示装置１３が設けられ、液晶表示装置１３の下方には、始動入賞口１４、大入賞口１５及びアウト口１６が、上から順に間隔を開けて並べて設けられている。また、遊技領域Ｒ１のうち液晶表示装置１３、及び始動入賞口１４等を挟んだ左右の両側には、上から順に、ランプ風車１７、始動ゲート１８及び風車１９、一般入賞口２０，２１が設けられ、ガイドレール１２に沿った両側部には、サイドランプ２２，２２が設けられている。さらに、これら入賞口等以外に、遊技領域Ｒ１には、図示しない複数の釘が起立している。
【００２６】
各部位の詳細は、以下のようである。前記始動入賞口１４は、両側に可動翼片１４Ｃ，１４Ｃを備える。可動翼片１４Ｃ，１４Ｃは、常には、始動入賞口１４に遊技球が１つ入賞可能な大きさで開口しており、始動ゲート１８に遊技球が通過すると、後述する主制御装置５０により乱数による抽選を行い、当たりだと遊技盤１１の裏に設けたソレノイド（図示せず）が駆動され、可動翼片１４Ｃ，１４Ｃが所定期間に亘って左右に拡開して、始動入賞口１４へ入賞し易くなる。
【００２７】
前記大入賞口１５は、横長に形成されて、常には可動扉１５Ｔにて閉塞されている。そして、所定条件の成立によって、パチンコ遊技機が大当たり状態になると、遊技盤１１の裏に設けたソレノイドが駆動され、可動扉１５Ｔが所定期間に亘って前側に倒れる。これにより、大入賞口１５が開放され、可動扉１５Ｔを案内にして、大入賞口１５に多くの遊技球が入賞可能になる。
【００２８】
前記液晶表示装置１３は、遊技盤１１に貫通形成された開口部に対し、遊技盤１１の前面側から取り付けた装飾枠２３と、遊技盤１１の後面側から取り付けた図柄制御装置５７とで構成されている。そして、遊技盤１１の前面側から、装飾枠２３を介して、図柄制御装置５７に備えた液晶画面を見ることができる。その液晶画面には、特別図柄１３Ａ，１３Ｂ，１３Ｃが、横並びに表示されている。各特別図柄１３Ａ，１３Ｂ，１３Ｃは、それぞれ例えば「０」〜「１１」の１２種類の数字体で構成されており、遊技の当たり外れを示すために用いられる。具体的には、各特別図柄１３Ａ，１３Ｂ，１３Ｃは、通常は、各特別図柄１３Ａ，１３Ｂ，１３Ｃごとに、所定の種類のものが停止表示されている。そして、前記始動入賞口１４に遊技球が入賞したときには、各特別図柄１３Ａ，１３Ｂ，１３Ｃが、上下方向にスクロールして変動表示され、所定時間後に、例えば、左、右、中の順に、各特別図柄１３Ａ，１３Ｂ，１３Ｃが停止表示される。このとき、これら特別図柄１３Ａ，１３Ｂ，１３Ｃが、例えば、ぞろ目になったか否かにより、遊技の当たり外れが判定される。
【００２９】
遊技盤１１の後面のうち液晶表示装置１３を構成する図柄制御装置５７より下側には、各入賞口１４，１５，２０，２１及びアウト口１６に入った遊技球を回収するためのダクト（図示せず）が取り付けられ、そのダクトの後側に重ねて、図３に示したランプ制御装置５５と音声制御装置５６とが横並びにして取り付けられている。また、ランプ制御装置５５、音声制御装置５６及び図柄制御装置５７の後側に重ねて主制御装置５０が取り付けられている。
【００３０】
主制御装置５０は、ＣＰＵとＲＯＭ及びＲＡＭを合わせてパッケージしてなるワンチップマイコンを主要部として備え、定期リセット回路にて生成した割り込みパルスに基づき、ＲＯＭに記憶した種々のプログラムをランすることで、遊技機を統括制御する。
【００３１】
図柄制御装置５７は、主制御装置５０から受けた信号を表示用ＣＰＵで処理すると共に、表示用ＣＰＵの処理結果に基づき、ＶＤＰ（図示せず）にて画像データを生成して、これを液晶表示装置１３の液晶画面に出力する。
【００３２】
ランプ制御装置５５は、左右のサイドランプ２２，２２、及び、液晶表示装置１３の装飾枠２３等への電力供給をオンオフする駆動回路を内蔵して備え、主制御装置５０から受けた信号に基づき、前記駆動回路を作動させて、各ランプ、ＬＥＤを駆動制御する。
【００３３】
音声制御装置５６は、主制御装置５０から受けた信号に基づいて、所定の音声信号を図示しないＲＯＭから取り出し、これをアナログ信号に変換及び増幅して後述するスピーカ５９Ｓから音を出力させる。なお、前記各制御装置５０，５５〜５７は、さらに個々に透明な樹脂ケースに収容されている。
【００３４】
以上が、遊技盤側アッシを構成する各部品の説明である。次いで、メインセット側アッシについて説明すると、メインセット７５は、透明な合成樹脂で構成され、図１に示すように、全体として遊技盤１１より縦方向に長い矩形状をなす。同図に示すように、メインセット７５には、矩形窓７４が形成され、メインセット７５が、後述するように遊技盤１１に重ねられると、前記した遊技盤１１に固定の各制御装置５０，５５〜５７が、矩形窓７４内に配置される。また、矩形窓７４の縁部には、図３及び図４に示すように、前記各制御装置５０，５５〜５７を収容する筐体状のカバー７６が着脱可能に取り付けられている。
【００３５】
メインセット７５のうち矩形窓７４より下方には、図３に示すように、払出制御装置５８と電源装置７０とが横並びにして取り付けられている。払出制御装置５８は、主制御装置５０から受けた信号に基づき、後述の払出装置７２を駆動して、所定数の遊技球を賞球として、後述の上皿２７Ａに払い出させる。電源装置７０は、パチンコホールに備えたＡＣ２４Ｖ設備電源から電力を受け、これを所定の電圧に変圧して各部位に配電する。なお、これら各装置５８，７０は、さらに個々に透明な樹脂ケースに収容されている。
【００３６】
メインセット７５のうち矩形窓７４より上側には、図３に示すように、遊技球タンク７５Ｔが設けられると共に、メインセット７５のうち矩形窓７４より側方部分には、払出装置７２が設けられている。そして、遊技球タンク７５Ｔと払出装置７２との間が、遊技球誘導レール７５Ｒにより連絡されている。
【００３７】
メインセット７５のうち払出装置７２が配された側の側部には、図１に示すように、上下方向に１対のヒンジピン７１，７１が取り付けられ、これらヒンジピン７１，７１が、枠体８０に備えた後述の前面枠９０の一側部に係合し、メインセット７５が前面枠９０に対して回動可能に組み付けられる。
【００３８】
また、メインセット７５は、次述するナイラッチ６８と係止窓６９とストッパー６７とを、前面枠９０の各部位に係止することで、前面枠９０に対して回り止めされて固定される。即ち、ナイラッチ６８は、図１に示されており、メインセット７５のうちヒンジピン７１と反対側の側部に上下方向に対をなして設けられている。ナイラッチ６８は、先端が縦割りにされた筒体６８Ｂの内側に、先端が膨出した摘み軸６８Ａをスライド可能に組み付けてなる。そして、ナイラッチ６８は、メインセット７５の側縁部に固定されており、前面枠９０に形成された係止孔６８Ｃに、筒体６８Ｂの先端を突入した状態で、摘み軸６８Ａが筒体６８Ｂに押し込まれる。これにより、前記係止孔６８Ｃ内で筒体６８Ｂの先端が拡がって抜け止めされ、メインセット７５の一部が前面枠９０に固定される。
【００３９】
係止窓６９は、図１に示されており、メインセット７５のうち矩形窓７４より下方に配置されると共に横長矩形状をなし、ここに前面枠９０に設けた回転係止部材６９Ｋが係止する。具体的には、回転係止部材６９Ｋは、図１に示すように、前面枠９０から起立した回動軸にて平板体を軸支した構造をなす。そして、回転係止部材６９Ｋを横向き姿勢にして係止窓６９に通してから、縦向き姿勢に回転することで抜け止めされ、メインセット７５の一部が、前面枠９０に固定される。
【００４０】
ストッパー６７は、図１に示されており、メインセット７５のうち矩形窓７４の下方に貫通形成されたスリット（図示せず）の上縁部に回転可能に取り付けられたレバー構造をなし、そのレバーの内側にリンク部材が連結されている。そして、前面枠９０から起立したフック６７Ｆを前記スリットに挿通させた状態で、ストッパー６７をメインセット７５側に寝かせることで、リンク部材が前記フック６７Ｆに係止して、メインセット７５の一部が、前面枠９０に固定される。
【００４１】
以上、遊技機本体８１に関する説明であり、次に枠体８０の構成について説明する。枠体８０は、図５及び図６に示した外枠８２に前面枠９０を回動可能に備えてなる。外枠８２は、図８に示すように、４つの木製の長板８３を縦長矩形状に接合して構成されており、外枠８２のうち両側辺を構成する長板８３の下端部の間には、前面板８４が差し渡され、その前面板８４の下縁部が、下辺を構成する長板８３に接合されている。
【００４２】
外枠８２のうち一方の側辺には、その上下の２箇所に、金属製のヒンジ片８５，８５が取り付けられている。また、外枠８２のうちヒンジ片８５と反対側の側辺を構成する長板８３には、その上端寄りと下端寄りの内面の２箇所に、１対の被係止部８６，８６が取り付けられている。さらに、外枠８２のうちヒンジ片８５を備えた側の外側面には、図４に示すように、プリペードカードユニット１５０が取り付けられる。
【００４３】
前面枠９０は、例えば、合成樹脂で構成され、図８に示すように、外枠８２の前面のうち前面板８４より上方部分に対応した矩形構造をなす。前面枠９０の一方の側辺には、その上下の２箇所に、金属製のヒンジ片９１，９１が備えられ、これら各ヒンジ片９１と前記外枠８２に設けた各ヒンジ片８５とを重ねて、ヒンジピン９２を貫通させてある。これにより、前面枠９０が、外枠８２に対して開閉する。
【００４４】
図７に示すように、前面枠９０には、遊技窓９０Ｗが形成されており、前面枠９０の前面には、ガラス枠９５が、遊技窓９０Ｗに重ねて設けられている。ガラス枠９５は、前面枠９０のうちヒンジ片９１側の側縁部に回動可能に取り付けられており、遊技窓９０Ｗより一回り小さな窓９５Ｗを備えて、そこにガラス板が張られている。また、図５に示すように、ガラス枠９５の前面うち窓９５Ｗの縁部には、装飾ランプ９６が配されている。
【００４５】
図７に示すように、前面枠９０のうちガラス枠９５の下方には、横長の回動板９７が、ガラス枠９５と同様に、前面枠９０に対して回動可能に取り付けられている。また、この回動板９７には、上皿２７Ａが取り付けられ、前面枠９０のうち回動板９７の下方に、下皿２７Ｂが取り付けられている。そして、遊技を行った場合の賞球としての遊技球が、上皿２７Ａに払い出され、上皿２７Ａに設けたボタン２９を押すと、上皿２７Ａから下皿２７Ｂに遊技球が移動する。
【００４６】
上皿２７Ａの左右の両端部寄り位置には、１対のスピーカ５９Ｓ，５９Ｓが設けられると共に、下皿２７Ｂの右端部には、操作ノブ２８が設けられている。これらスピーカ５９Ｓ、操作ノブ２８及び前記装飾ランプ９６等は、遊技機本体８１の所定の電気回路にコネクタ接続されている。そして、操作ノブ２８を操作することで、上皿２７Ａに収容された遊技球が遊技盤１１上に向けて弾き出され、遊技の進行状況に応じて、装飾ランプ９６及びスピーカ５９Ｓが駆動される。
【００４７】
上述した前面枠９０及びガラス枠９５は、図８に示した施錠機構１００により、閉止状態に施錠される。施錠機構１００は、前面枠９０の後面のうちヒンジ片９１と反対側の側縁部に取り付けられている。施錠機構１００には、上下の両端に回動部材１０２，１０２が備えられ、その回動部材１０２の先端に形成した係止爪１０３を、外枠８２の被係止部８６に係止して、前面枠９０が閉止状態に施錠される。
【００４８】
図８に示すように、前面枠９０の後面には、遊技窓９０Ｗを囲むように囲壁９３が起立している。そして、図９に示すように、この囲壁９３の内部に前記遊技盤１１が嵌合され、囲壁９３に備えた複数の係止レバー１１４にて遊技盤１１が前面枠９０に係脱可能に固定される。
【００４９】
さて、係止レバー１１４は、本発明の「可動部材」に相当し、合成樹脂、具体的には例えばポリカーボネートで構成されている。また、係止レバー１１４は、例えば、前面枠９０のうち囲壁９３の上辺の略中央に１つと、囲壁９３の両側辺に１対ずつの計５つ設けられている。そして、係止レバー１１４は、螺子１２０に貫通されて、その螺子１２０を前面枠９０に螺合することで、前面枠９０（本発明の「固定部材」に相当する）に対して螺子１２０を中心に回転可能に保持されている。
【００５０】
詳細には、以下のようである。係止レバー１１４は、図１０に拡大して示すように、平板部１１５から摘み壁１１６を起立して備える。平板部１１５は、図１０において上下方向に延びた長板部１１７の上端部から一側方に向けて先細り状の係止片１１８を張り出した形状をなす。係止片１１８の一辺は、長板部１１７の上端から水平方向に延びる一方、係止片１１８の他辺は長板部１１７の長手方向の中間位置から斜め上方に延び、それら一辺の他辺とが係止片１１８の先端部で湾曲して繋がっている。
【００５１】
摘み壁１１６は、長板部１１７のうち上端部を除いた全体から起立して内部が空洞になっており、その空洞が平板部１１５の裏面（前面枠９０に対向する面）に開放している。また、平板部１１５の裏側面には、長板部１１７のうち係止片１１８側の縁部に沿って突状１０６が突出すると共に、係止片１１８の先端部から突起１０７が突出している。一方、平板部１１５の表面には、図１０に示すように次述する貫通孔１１９の開口縁と平板部１１５の外縁とに沿ってリブ１０５が形成されている。
【００５２】
図１０における長板部１１７の上端部には、貫通孔１１９が形成されている。図１１（Ａ）に示すように、貫通孔１１９のうち係止レバー１１４の裏面側は、大径部１１９Ｂをなし、表面側は、漏斗部１１９Ａ（本発明の「小径部」に相当する）になっている。具体的には、漏斗部１１９Ａは、係止レバー１１４の表面から奥側に向かうに従って窄んだ形状をなす一方、大径部１１９Ｂは、漏斗部１１９Ａの奥部を段付き状に拡げた形状をなす。そして、大径部１１９Ｂの内部に、貫通孔１１９から起立した円柱体１３０が嵌合され、漏斗部１１０Ａ側から通した螺子１２０が、円柱体１３０の中心部に形成した螺着用孔１３２に螺合される。
【００５３】
円柱体１３０は、図１０に示すように、先端寄り位置を除く外周面から上下左右の四方に向かって突条１３１を張り出して備え、そのうちの１つの突条１３１が囲壁９３の外面に連続している。また、円柱体１３０の中心部には、螺着用孔１３２が形成されており、例えば、その螺着用孔１３２の内径は、螺子１２０の軸部１２２の外径より若干小さくなっている。一方、螺子１２０の軸部１２２には、長手方向の途中部分から先端部にかけて、所謂、木ねじが形成されており、予めねじが形成されていない螺着用孔１３２内に押し込んで螺合されている。
【００５４】
さて、螺子１２０が係止レバー１１４に通される前に、螺子１２０には予め摺動リング１４０（本発明の「摺動手段」「リング状摺動部材」に相当する）が挿通される。本実施形態の摺動リング１４０は、樹脂製摺動部材で構成されている。より具体的には、摺動リング１４０は、ポリアセタール（例えば、ポリプラスチックス株式会社製の商品名「ジュラコン」）で構成されている。
【００５５】
また、摺動リング１４０は、螺子１２０の頭部１２１より若干外径が大きいリング状をなす。さらに、摺動リング１４０のうち螺子１２０の頭部１２１に宛われる側は平坦面をなし、係止レバー１１４に宛われる側が先細り部１４１になっている。そして、図１１（Ｂ）に示すように、例えば、先細り部１４１の外面が、漏斗部１１９Ａの内面に密着する。
【００５６】
なお、本実施形態では、摺動リング１４０は、樹脂製摺動部材で構成されているが、金属製摺動部材で構成してもよい。その金属製摺動部材としては、例えば、含油メタル、錫台ホワイトメタル、鉛台ホワイトメタル、ガドミウム合金、ケルメット等が挙げられる。ここで、本発明において「樹脂製摺動部材」とは、市販の金属製のワッシャを構成する部材より、自己潤滑性に優れた樹脂部材をいい、「金属製摺動部材」とは、市販の金属製のワッシャを構成する部材より、自己潤滑性に優れた金属部材をいう。
【００５７】
次に、上記構成からなる本実施形態の作用・効果を説明する。
枠体８０と遊技機本体８１とが組み付けられる前の状態では、本発明に係る係止レバー１１４は、枠体８０に備えた前面枠９０に取り付けられている。その取り付け方法について説明すると、以下のようである。即ち、螺子１２０の軸部１２２に摺動リング１４０を挿通し、摺動リング１４０の先細り部１４１を軸部１２２の先端側に向けた状態にする。次いで、前面枠９０から起立した円柱体１３０を、係止レバー１１４に形成した貫通孔１１９の大径部１１９Ｂに嵌合した状態にして、その貫通孔１１９の漏斗部１１９Ａ側から螺子１２０の軸部１２２を挿入する。
【００５８】
この状態で、螺子１２０の先端を、円柱体１３０に形成された螺着用孔１３２に押し込みながら回すと、螺子１２０の軸部１２２が、螺着用孔１３２内に螺合され、かつ、螺着用孔１３２の内面と軸部１２２の外面との摩擦でもって螺着用孔１３２内に螺着される。ここで、螺子１２０を締め付けるときに、摺動リング１４０の先細り部１４１が、貫通孔１１９の漏斗部１１９Ａに押し付けられて、その漏斗の中心に案内される。これにより、螺子１２０が貫通孔１１９に対して芯だしされ、係止レバー１１４を回転したときに貫通孔１１９の内面が螺子１２０に擦られることを規制することができる。
【００５９】
さて、枠体８０に遊技機本体８１を組み付けるには、遊技機本体８１のうちまずは遊技盤側アッシを先に前面枠９０に組み付けてから、次いで、メインセット側アッシを前面枠９０に組み付ける。遊技盤側アッシを前面枠９０に組み付けるには、遊技盤側アッシの遊技盤１１を、前面枠９０の囲壁９３内に嵌合する。その準備として、係止レバー１１４を係止解除姿勢にする。即ち、図１２の破線で示すように、係止レバー１１４の摘み壁１１６を、囲壁９３から外方に直立させた姿勢にして、係止レバー１１４における係止片１１８を囲壁９３の外側に位置させる。ここで、係止レバー１１４を回転したときに、螺子１２０の頭部１２１と摺動リング１４０とが摺接するが、この摺動リング１４０は、自己潤滑性に優れたポリアセタール（摩擦係数０．３）で構成されているから、螺子１２０の頭部１２１にかかる摩擦を効果的に低減することができ、従来より螺子１２０が緩みにくい。なお、本実施形態では、摩擦係数が０．３以下の低摩擦係数特性を有する樹脂としてポリアセタールを用いたが、摩擦係数が０．４以下の低摩擦係数特性を有する樹脂であれば、ポリアセタール以外の樹脂を用いてもよい。
【００６０】
そして、囲壁９３内に、遊技盤１１を嵌め込んでから、今度は、係止レバー１１４を逆方向に回転して係止姿勢にする。即ち、図１２の実線で示すように、前面枠９０の摘み壁１１６が囲壁９３に平行になる姿勢にして、係止レバー１１４における係止片１１８を囲壁９３の内側に移動させる。
【００６１】
係止レバー１１４が係止姿勢になると、係止片１１８が遊技盤１１の縁部の後方に重ねられ、遊技盤１１が囲壁９３内に抜け止めされる。この状態で、係止片１１８の裏面に設けた突起１０７が、遊技盤１１に食い込んで、係止レバー１１４の周り止めが図られる。ここで、本実施形態では、前面枠９０から起立した円柱体１３０が、係止レバー１１４のうち貫通孔１１９の大径部１１９Ｂに嵌合して、係止レバー１１４を軸支しているので、係止レバー１１４が遊技盤１１から反力を受けても、螺子１２０に係る負荷は軽減され、螺子１２０に対する摺動摩擦を減らすことができる。
【００６２】
全ての係止レバー１１４を係止姿勢にしたら、メインセット側アッシを前面枠９０に取り付ける。そのためには、前面枠９０のヒンジピン７１を前面枠９０のヒンジ片７１Ａに係止することで、まずは、メインセット７５を、前面枠９０に対して回動可能な状態にする。そして、メインセット７５を遊技盤１１の後面に重ねた状態にして、ナイラッチ６８と係止窓６９とストッパー６７とを、前面枠９０に備えた各部位に係止する。そして、遊技盤側アッシとメインセット側アッシのそれぞれの電気回路をハーネスで接続し、これをもって、パチンコ遊技機が完成される。
【００６３】
また、パチンコ遊技機が遊技場に納入されてから、機種交換を行う場合には、枠体８０は、遊技場の島に固定されたまま、遊技機本体８１だけが、新規なものに交換される。このとき、係止レバー１１４が回転されるが、上述のごとく係止レバー１１４を回転しても、摺動リング１４０が螺子１２０の頭部１２１に摺接して摩擦を低減するので、螺子１２０が従来より緩みにくく、螺子１２０を逐一締め直す必要がない。
【００６４】
このように、本実施形態の構成によれば、係止レバー１１４を回転したときに、係止レバー１１４を回転可能に保持するための螺子１２０の頭部１２１が、摺動リング１４０に摺接して、螺子１２０の頭部１２１にかかる摩擦を低減するので、従来より螺子１２０が緩みにくくなる。特に、本実施形態のように、部品（遊技盤１１）を固定部材（枠体８０の前面枠９０）に係脱するための係止レバー１１４に関する螺子１２０の緩み規制に摺動リング１４０を用いれば、回転頻度が低い部位の螺子の緩み規制をシンプルな構成で行うことができる。また、摺動リング１４０は螺子１２０の頭部１２１の全体に接触するリング状をなすので、螺子１２０の締め付け力の分散均一化を図ることができる。さらに、頭部１２１の位置調整を行いたい場合に、摺動リング１４０が調整用スペーサーを兼ねることもできる。
【００６５】
＜他の実施形態＞
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
（１）前記実施形態においては、遊技機の一例としてパチンコ遊技機を例示したが、本発明はこれに限られず、例えば、コイン遊技機やスロットマシン等に本発明を適用してもよい。
【００６６】
（２）前記実施形態では、摺動リング１４０は、ポリアセタール（摩擦係数０．３）で構成されていたが、摺動リング１４０は、樹脂製摺動部材であれば、例えば、フッ素樹脂、超高分子ポリエチレン、その他、低摩擦係数を有する樹脂や、ＡＢＳ（アクリロニトリル−ブタジエン−スチレン）、ポリアミド、ポリカーボネート、ポリエチレン等に摩擦係数を低下させる効果を有する物質（例えば、フッ素樹脂）を混合させたもので構成してもよい。なお、本発明に係る樹脂製摺動部材としては、摩擦係数が０．４以下の低摩擦係数特性を有する樹脂であることが好ましく、摩擦係数が０．３以下のものがより好ましい。
【００６７】
（３）前記実施形態では、係止レバー１１４（可動部材）は、ポリカーボネートで構成されていたが、例えば、フッ素樹脂、超高分子ポリエチレン、その他、低摩擦係数を有する樹脂や、ＡＢＳ、ポリアミド、ポリカーボネート、ポリエチレン等に摩擦係数を低下させる効果を有する物質（例えば、フッ素樹脂）を混合させたもので構成してもよい。
【００６８】
（４）前記実施形態では、螺子１２０に摺動リング１４０を一つだけ挿通させた構成であったが、例えば、摺動リング１４０を平坦な円板状に形成して、複数の摺動リング１４０を螺子１２０に挿通させた構成にしてもよい。
【００６９】
（５）前記実施形態では、螺子１２０に、別部品の摺動リング１４０を挿通した構成であったが、螺子１２０における頭部１２１のうちに係止レバー１１４に対向する側の面の表面処理を行い、この表面処理を本発明に係る摺動手段とてもよい。このような構成すれば、部品を増やさずに、可動部材（係止レバー１１４）と螺子との摩擦を抑えることができる。なお、表面処理の具体例としては、金属ハロゲン化物層が挙げられる。
【００７０】
（６）前記実施形態では、遊技機を構成する部品（遊技盤１１）を係脱するための係止レバー１１４に、本発明を適用したものを例示したが、係脱用の部品に関わらず、例えば、遊技を行う際に回転する役物用部品を、螺子で回転可能に保持し、その螺子の頭部と役物用部品との間に、摺動手段を介在させた構成にしてもよい。
【００７１】
（７）前記実施形態の摺動手段としての摺動リング１４０は、環状（リング状）であったが、摺動手段の形状は、これに限定されるものではない。
【００７２】
（８）前記実施形態の摺動手段として、小型のベアリングを用いてもよい。
【図面の簡単な説明】
【図１】本発明の一実施形態のパチンコ遊技機の部品を示す斜視図
【図２】パチンコ遊技機に備えた遊技盤の前面図
【図３】パチンコ遊技機の後面図
【図４】パチンコ遊技機の後方斜視図
【図５】枠体の前方斜視図
【図６】前面枠を開いた状態の斜視図
【図７】ガラス枠を開いた状態の斜視図
【図８】枠体の部品を示した斜視図
【図９】枠体の前面枠に遊技盤を取り付けた状態の斜視図
【図１０】係止レバーが取り付けられる部分の分解斜視図
【図１１】係止レバーが取り付けられる部分の側断面図
【図１２】係止レバーを取り付けた部分の斜視図
【図１３】従来の遊技機において、係止レバーを取り付けた部分の斜視図
【符号の説明】
１１…遊技盤（遊技機を構成する部品）
８０…枠体（固定部材）
９０…前面枠（固定部材）
１１４…係止レバー（可動部材）
１１９…貫通孔
１１９Ａ…漏斗部
１１９Ｂ…大径部
１２０…螺子
１２１…頭部
１２２…軸部
１３０…円柱体
１４０…摺動リング（摺動手段、リング状摺動部材）
１４１…先細り部分
【図１】
0003573285.tif 000002
【図２】
0003573285.tif 000003
【図３】
0003573285.tif 000004
【図４】
0003573285.tif 000005
【図５】
0003573285.tif 000006
【図６】
0003573285.tif 000007
【図７】
0003573285.tif 000008
【図８】
0003573285.tif 000009
【図９】
0003573285.tif 000010
【図１０】
0003573285.tif 000011
【図１１】
0003573285.tif 000012
【図１２】
0003573285.tif 000013
【図１３】
0003573285.tif 000014